(57)【要約】【課題】碍管の全長が長くなっても、碍管内でのケーブル芯の水平保持が可能な水平型ケーブル終端接続部を提供する。【解決手段】ケーブル端末部にそのケーブルの導体３と絶縁体５から成るケーブルコア２を碍管１の基端部から先端部へ突出させるように挿入固定し、かつ、そのケーブル端末部の基端寄りにはゴムユニット固定部８と電界緩和用ゴムユニット７を装着した状態とし、碍管１内の中央部分に、ケーブルコア２を保持する芯保持スペーサー９ａを設けた。【選択図】      図１
2006060981.tif 000002
【特許請求の範囲】
【請求項１】
ケーブル端末部にそのケーブルの導体と絶縁体から成るケーブルコアを碍管内に挿入・固定し、ケーブルを架空送電線と接続する水平型ケーブル終端接続部であって、
前記碍管内の所定部分に、前記ケーブルコアを保持する芯保持スペーサーを設けたことを特徴とする水平型ケーブル終端接続部。
【請求項２】
前記芯保持スペーサーは、前記碍管の内壁に固定されていることを特徴とする請求項１記載の水平型ケーブル終端接続部。
【請求項３】
前記芯保持スペーサーは、前記ケーブルコアに固定されていることを特徴とする請求項１記載の水平型ケーブル終端接続部。
【請求項４】
前記芯保持スペーサーは、絶縁特性を有する弾性材料で形成されていることを特徴とする請求項１記載の水平型ケーブル終端接続部。
【請求項５】
前記芯保持スペーサーは、その外面または内面に凹凸が設けられていることを特徴とする請求項１記載の水平型ケーブル終端接続部。
【請求項６】
前記芯保持スペーサーの外面または内面に潤滑剤が塗布されていることを特徴とする請求項１記載の水平型ケーブル終端接続部。
【発明の詳細な説明】
【技術分野】
【０００１】
本発明は、ケーブルの端末部を既設架空送電線等に接続し、取付ける水平型ケーブル終端接続部に関し、特に、碍管長が長くなってもケーブルの水平支持が可能な水平型ケーブル終端接続部に関するものである。
【背景技術】
【０００２】
既設架空送電線から地中送電線を分岐して送電するための分岐鉄塔における分岐接続構造例として、特許文献１に示すものがある。
この例では、図５に示すように、塔体１１に多段状に水平な支持アーム１２を設けた架空送電用鉄塔において、地中から上方へ延びる地中ケーブル１７の端部に設けたケーブル終端接続部１５を、対応する架空送電線ＬＡを支持する支持アーム１２とその直下の支持アーム１２との中間高さの位置で塔体１１に固定部材１６を介して水平に取付ける一方、支持アーム１２の先端に張出部材１３を設けてステーション碍子１４をその先端に吊り下げ、このステーション碍子１４によりジャンパ線ＬＪを突出させて絶縁距離範囲外にジャンパ線ＬＪが位置するように構成している。ケーブル終端接続部１５の先端は、図に示すように、リード線ＬＩを介し、架空送電線ＬＡ同士を接続するジャンパ線ＬＪに接続される。なお、地中ケーブル１７は、一般にＣＶケーブルと呼ばれる架橋ポリエチレン絶縁ケーブルが使用される。
【０００３】
ケーブル終端接続部１５は塔体１１に対して水平に取付けられている。これは、ケーブル終端接続部１５の導体と、隣接する支持アーム１２との間で確実に必要絶縁距離を確保するためである。
【０００４】
図６に、上記ケーブル終端接続部１５の内部構造を示す。
ケーブル終端接続部１５は、磁器材またはポリマー材より形成される碍管１とその内部に挿入されるケーブル端末部とからなる。ケーブル端末部はケーブルの導体３と絶縁体５から成るケーブルコア２を碍管１の基端部から先端部へ突出させるように挿入固定し、かつ、そのケーブル端末部の基端寄りにはゴムユニット固定部８と電界緩和用ゴムユニット７を装着した状態で碍管１内に挿入、固定される。また、ケーブル端末部の基端寄りには、碍管１の基端に接続されるケーブル端部の保護のために防水処理部材１０が設けられる。
【０００５】
ケーブル終端接続部１５を水平方向に取付けた場合、ケーブル終端接続部１５が片持ち梁状となり、取付け部に大きな応力が負荷されることが予想される。従って、この負荷を軽減するため、ケーブル終端接続部１５としては、軽量なポリマー型を使用するのが望ましい。このポリマー型では、碍管１として、例えばＦＲＰ等の強化樹脂製の筒にゴムや樹脂製の笠を設けたものを使用する。碍管１の内部絶縁材には、シリコーン油等を封入したものが一般的であるが、さらなる軽量化、および内部閃落防止のため、ＳＦ６等のガスが封入される。
【特許文献１】特開２００４−８０９２３号公報
【発明の開示】
【発明が解決しようとする課題】
【０００６】
上記構造のケーブル終端接続部を採用して架空送電線から分岐する電力を、変電所や工場などに送電したい場合には、地中ケーブルや架空ケーブルなどのケーブル端末部に接続されるケーブル終端接続部と分岐鉄塔間の絶縁距離を考慮しなければならない。また、周囲環境の汚損度合いにより碍管１を長くすることが必要となる。しかしながら、上記ケーブル終端接続部１５において碍管１の全長が長くなると、ケーブル端部のゴムユニット固定部８ではモーメントが大きくなり過ぎ、碍管１内での導体３と絶縁体５から成るケーブルコア２が自重により垂れ下がってしまい、芯全体を水平に保持することが困難になることがあった。
【０００７】
また、ケーブルコア２の垂れ下がりから、ケーブルコア２と碍管１内の隙間が偏り電界の弱い箇所が発生した。更に、電界緩和用ゴムユニット７付近に電界が集中してしまい、その部分から内部閃落が発生してしまうという問題があった。
【０００８】
従って、本発明の目的は、上記の水平型ケーブル終端接続部に特有の問題を解決し、碍管の全長が長くなっても、碍管内でのケーブルコアの水平保持が可能な水平型ケーブル終端接続部を提供することにある。
【０００９】
また、本発明の他の目的は、内部閃落が生じにくい構造の水平型ケーブル終端接続部を提供することにある。
【課題を解決するための手段】
【００１０】
上記目的を達成するため、本発明の水平型ケーブル終端接続部は、ケーブル端末部にそのケーブルの導体と絶縁体から成るケーブルコアを碍管内に挿入・固定し、ケーブルを架空送電線と接続する水平型ケーブル終端接続部であって、前記碍管内の所定部分に、前記ケーブルコアを保持する芯保持スペーサーを設けたことを特徴とする。
【００１１】
前記芯保持スペーサーは、前記碍管の内壁に固定するか、前記ケーブルコアに固定することができる。
【００１２】
前記芯保持スペーサーは、絶縁特性を有する弾性材料で形成することができる。
【００１３】
前記芯保持スペーサーは、その外面または内面に凹凸を設けることができる。また、芯保持スペーサーの外面または内面に潤滑剤を塗布することもできる。
【発明の効果】
【００１４】
本発明によれば、芯保持スペーサーを碍管内の所定部分に設置することにより、碍管の全長が長くなっても、碍管内でのケーブル芯の水平保持が可能となり、水平型ケーブル終端接続部特有の問題を解決することができる。また、芯保持スペーサーの存在により、一部の箇所に電界が集中することがなく、その部分からの内部閃落を防止できる。
【発明を実施するための最良の形態】
【００１５】
以下に、本発明の実施の形態について図面を参照しながら説明する。
【００１６】
（第一の実施形態）
図１に、本発明の水平型ケーブル終端接続部の第一の実施形態を示す。
図１（ａ）は断面図、図１（ｂ）は（ａ）のＢ−Ｂ'断面図である。
この図において、図６と同一部分には同一符号を付して説明を省略する。
この実施形態の水平型ケーブル終端接続部は、碍管１内の中央部に、芯保持スペーサー９ａを設けた点が図６の水平型ケーブル終端接続部と異なっている。
【００１７】
芯保持スペーサー９ａは、図１（ｂ）に示すように、ケーブル導体３外周に押出し被覆した絶縁体５から成るケーブルコア２の周りに固定して設けられている。この芯保持スペーサー９ａは、ゴム等の弾性材料で絶縁特性を有する弾性体で形成され、ケーブルコア２を挿入する挿入孔が設けられている。更に、芯保持スペーサー９ａ表面である外面に凹凸を設けることにより接触面積を小さくするか、あるいは凹凸を設ける代わりに、スペーサー９ａに潤滑剤を塗布しても良い。また、両方実施することもできる。
【００１８】
（組立方法）
以下、図２（ａ）〜（ｄ）に基づき、本実施形態のケーブル終端接続部の組立方法について説明する。
まず、ケーブル端末部において、ケーブル導体３外周に押出し被覆した絶縁体５から成るケーブルコア２に、電界緩和用ゴムユニット７を挿入して固定する（工程ａ）。
【００１９】
次に、芯保持スペーサー９ａも同様にして、ケーブル導体３外周に押出し被覆した絶縁体５から成るケーブルコア２に挿入して固定する。ここで、芯保持スペーサー９ａは、後述する工程で碍管１内に挿入した際に、碍管１長のほぼ中央位置に来るように配置する（工程ｂ）。この芯保持スペーサー９ａは、ケーブル終端接続部が閃落を発生させない寸法であれば碍管との間に隙間が在っても良い。
【００２０】
更に、電界緩和用ゴムユニット７と芯保持スペーサー９ａを持つケーブルコア２のケーブル端末部を碍管１内に挿入し（工程ｃ）、芯保持スペーサー９ａを碍管１の内壁に接触させながら固定することにより、ケーブル終端接続部とする（工程ｄ）。
このようにして得られたケーブル終端接続部は以下のような効果を奏することができる。
【００２１】
（第一の実施形態の効果）
（１）碍管１の中央部付近に芯保持スペーサー９ａを設置しているので、碍管１の全長が長くなっても、碍管１の基端部においてもケーブルコア２を支えることが可能となる。
（２）芯保持スペーサー９ａを、ケーブル導体３外周に押出し被覆した絶縁体５から成るケーブルコア２の周りに固定して設けているので、運転中に移動することがなくなる。
（３）芯保持スペーサー９ａを絶縁特性の有する弾性体で形成しているので、碍管１やケーブルコア２を傷つけることがない。
（４）絶縁特性を有する弾性材料で芯保持スペーサーを製作しているので、芯保持スペーサー９ａを碍管１中央部に設置することにより、電界緩和用ゴムユニット７に係る電界を芯保持スペーサー９ａの位置・形状を工夫することで内部閃落が発生しないようコントロールできる。
（５）芯保持スペーサー外面に凹凸を設けて接触面積を小さくするか、芯保持スペーサー外面に潤滑剤を塗布し、接触する部品との摩擦係数を小さくしているので、碍管を挿入して組み立てる時に芯保持スペーサーが動くことを防止できる。
【００２２】
（第二の実施形態）
図３に、本発明の水平型ケーブル終端接続部の第二の実施形態を示す。
図３（ａ）は断面図、図３（ｂ）は（ａ）のＢ−Ｂ'断面図である。
この図において、図６と同一部分には同一符号を付して説明を省略する。
この実施形態の水平型ケーブル終端接続部は、碍管１内の中央部に、芯保持スペーサー９ｂを設けた点が図６の水平型ケーブル終端接続部と異なっている。
【００２３】
芯保持スペーサー９ｂは、図３（ｂ）に示すように、碍管１の内壁に固定して設けられている。この芯保持スペーサー９ａは、ゴム等の弾性材料で絶縁特性を有する弾性体で形成され、ケーブルコア２を挿入する挿入孔が設けられている。更に、内面に凹凸を設けることにより接触面積を小さくするか、あるいは凹凸を設ける代わりに、スペーサー９ａに潤滑剤を塗布しても良い。また、両方実施することもできる。
【００２４】
（組立方法）
以下、図４（ａ）〜（ｃ）に基づき、本実施形態のケーブル終端接続部の組立方法について説明する。
まず、ケーブル端末部において、ケーブル導体３外周に押出し被覆した絶縁体５から成るケーブルコア２に、電界緩和用ゴムユニット７を挿入して固定する（工程ａ）。
【００２５】
次に、電界緩和用ゴムユニット７を持つケーブルコア２のケーブル端末部を碍管１内に挿入する（工程ｂ）。ここで、碍管１長のほぼ中央位置の内壁には予め芯保持スペーサー９ｂが装着されている。
【００２６】
更に、芯保持スペーサー９ｂの内面に、ケーブルコア２の絶縁体５を接触させながら固定することにより、ケーブル終端接続部５とする（工程ｃ）。
このようにして得られたケーブル終端接続部は以下のような効果を奏することができる。
【００２７】
（第二の実施形態の効果）
（１）碍管１の中央部付近に芯保持スペーサー９ａを設置しているので、碍管１の全長が長くなっても、碍管１の基端部においてもケーブルコア２を支えることが可能となる。
（２）芯保持スペーサー９ｂを、碍管１の内壁に装着して設けているので、運転中に移動することがなくなる。
（３）芯保持スペーサー９ｂを絶縁特性の有する弾性体で形成しているので、碍管１やケーブルコア２を傷つけることがない。
（４）絶縁特性を有する弾性材料で芯保持スペーサーを製作しているので、芯保持スペーサー９ｂを碍管１中央部に設置することにより、電界緩和用ゴムユニット７に係る電界を芯保持スペーサー９ｂの位置・形状を工夫することで内部閃落が発生しないようコントロールできる。
（５）スペーサー内面に凹凸を設けて接触面積を小さくするか、スペーサーに潤滑剤を塗布し、接触する部品との摩擦係数を小さくしているので、ケーブル芯を碍管内に挿入して組み立てる時にスペーサーが動くことを防止できる。
【００２８】
なお、上記第一、第二の実施形態では、それぞれ芯保持スペーサー９ａ，９ｂを碍管１内の中央部付近に設けたが、それ以外の部分、例えば、図中右寄りに設けることもできる。
【図面の簡単な説明】
【００２９】
【図１】本発明の水平型ケーブル終端接続部の第一の実施形態を示す図であり、（ａ）は断面図、（ｂ）は（ａ）のＢ−Ｂ'断面図である。
【図２】第一の実施形態の水平型ケーブル終端接続部の組立方法を示す説明図であり、（ａ）〜（ｄ）はそれぞれ工程ａ〜工程ｄを示すものである。
【図３】本発明の水平型ケーブル終端接続部の第二の実施形態を示す図であり、（ａ）は断面図、（ｂ）は（ａ）のＢ−Ｂ'断面図である。
【図４】第二の実施形態の水平型ケーブル終端接続部の組立方法を示す説明図であり、（ａ）〜（ｃ）はそれぞれ工程ａ〜工程ｃを示すものである。
【図５】分岐鉄塔における分岐接続構造例を示す斜視図である。
【図６】従来の水平型ケーブル終端接続部を示す断面図である。
【符号の説明】
【００３０】
１  碍管
２  ケーブルコア
３  ケーブル導体
５  絶縁体
７  電界緩和用ゴムユニット
９ａ，９ｂ  芯保持スペーサー
１０  防水処理部材
１１  塔体
１２  支持アーム
１２ａ  補助部材
１３  張出部材
１４  ステーション碍子
１５  ケーブル終端接続部
１６  固定部材
１７  地中ケーブル
ＬＡ  架空送電線
ＬＩ  リード線
ＬＪ  ジャンパ線
【図１】
2006060981.tif 000003
【図２】
2006060981.tif 000004
【図３】
2006060981.tif 000005
【図４】
2006060981.tif 000006
【図５】
2006060981.tif 000007
【図６】
2006060981.tif 000008